(57)【要約】【課題】  遮光性と分解性に優れた感光記録材料用包装箱を提供すること【解決手段】  外箱部３の両側面には２本の平行なミシン線５３が最上端から最下端まで形成されており、外箱部の２本のミシン線５３の間は破断部５２となっており、破断部５２の上端には指摘み部５４が形成されている。内箱部５の両側面における外箱部３の側面の上端付近に対応する位置には、外箱部の２本のミシン線と対応する位置に、平行に延びる２本のミシン線５７が形成され、内箱部の２本のミシン線５７の間に破断開始領域５９が形成されている。破断開始領域５９と、破断開始領域と対応する位置の外箱部の破断部５２とは接着されている。【選択図】  図２
2006056521.tif 000002
【特許請求の範囲】
【請求項１】
前面と背面、２つの側面同士が各々正対して成り、それぞれが矩形断面である外箱部および内箱部から構成され、内箱部における両側面がそれぞれ外箱部における両側面の内側に隣接した状態で組み立てられている包装箱において、
前記外箱部の両側面には２本の平行なミシン線が最上端から最下端まで形成されており、前記外箱部における２本のミシン線の間は破断部となっており、前記破断部の上端には指摘み部が形成されており、
前記内箱部の両側面における前記外箱部の側面の上端付近に対応する位置には、前記外箱部における２本のミシン線と対応する位置に、平行に延びる２本のミシン線が形成され、該内箱部における２本のミシン線の間に破断開始領域が形成され、前記破断開始領域と、該破断開始領域と対応する位置の前記外箱部の破断部とは接着されていることを特徴とする感光記録材料用包装箱。
【請求項２】
請求項１において、前記破断開始領域の上部には切り欠き部が形成されていることを特徴とする感光記録材料用包装箱。
【請求項３】
請求項１または２において、前記切り欠き部は前記外箱部の側面の上端を上下方向に跨いで形成されていることを特徴とする感光記録材料用包装箱。
【請求項４】
請求項１〜３のいずれか１項において、前記内箱部の側面は２枚のフラップが重なって構成されており、これら２枚のフラップは接着されていないことを特徴とする感光記録材料用包装箱。
【請求項５】
請求項１〜３のいずれか１項において、前記内箱部の側面は２枚のフラップが重なって構成されており、これら２枚のフラップは前記破断開始領域と対応する位置において接着されていることを特徴とする感光記録材料用包装箱。
【請求項６】
請求項５において、前記２枚のフラップが接着されている部分の面積は、該フラップの面積の１０％以下であることを特徴とする感光記録材料用包装箱。
【請求項７】
請求項４〜６のいずれか１項において、前記２枚のフラップのうち内側に位置するフラップの外側辺には凸部が形成され、前記２枚のフラップのうち外側に位置するフラップを折るための折れ線上には、前記凸部と対応する位置に凸部が係合する溝部が形成されていることを特徴とする感光記録材料用包装箱。
【請求項８】
請求項１〜３のいずれか１項において、前記外箱部と内箱部は前記外箱部の破断部を破断したときに、互いに異なる方向に展開可能であることを特徴とする感光記録材料用包装箱。
【発明の詳細な説明】
【技術分野】
【０００１】
本発明は、Ｘレイフィルム等の感光記録材料の包装に適した包装箱に関する。
【背景技術】
【０００２】
Ｘレイフィルム等の感光記録材料を包装する包装箱は、暗室内で開封されるため易開封性が要求される。そこで例えば特許文献１や特許文献２に開示されているように、箱体の周囲にリッパー部を形成し、このリッパー部の端部に形成されたつまみ部を引っ張ることによりリッパー部が破断されて、箱体が開放される構造が既に提案されている。
【０００３】
一方、感光記録材料を包装する包装箱は、その遮光性を高めるために外箱と内箱とを組み合わせて構成することが好ましい。しかし外箱と内箱とから構成される包装箱は、使用後の包装箱を廃棄するときに潰して平坦にすることが困難である。また外箱及び内箱の形態を維持するためにそれぞれのフラップが糊付けされ、外箱と内箱との一体性を維持するために両者も糊付けされている。そのため外箱と内箱をそれぞれ分解して平坦にするには多くの労力と時間を必要とする。
【０００４】
【特許文献１】特開平８−１１４８８９号公報
【特許文献２】特開２００２−１６０７２９号公報
【発明の開示】
【発明が解決しようとする課題】
【０００５】
そこで従来の包装箱が有している上記の問題点を考慮して、本発明は、遮光性と分解性に優れた感光記録材料用包装箱を提供することを課題とした。
【課題を解決するための手段】
【０００６】
本発明者は鋭意検討を重ねた結果、以下の構成を有する本発明の感光記録材料用包装箱によれば上記の課題を解決しうることを見い出した。
本発明の感光記録材料用包装箱は、前面と背面、２つの側面同士が各々正対して成り、それぞれが矩形断面である外箱部および内箱部から構成され、内箱部における両側面がそれぞれ外箱部における両側面の内側に隣接した状態で組み立てられている包装箱において、前記外箱部の両側面には２本の平行なミシン線が最上端から最下端まで形成されており、前記外箱部における２本のミシン線の間は破断部となっており、前記破断部の上端には指摘み部が形成されており、前記内箱部の両側面における前記外箱部の側面の上端付近に対応する位置には、前記外箱部における２本のミシン線と対応する位置に、平行に延びる２本のミシン線が形成され、該内箱部における２本のミシン線の間に破断開始領域が形成され、前記破断開始領域と、該破断開始領域と対応する位置の前記外箱部の破断部とは接着されていることを特徴とするものである（第１の態様）。
【０００７】
上記発明において、上記破断開始領域の上部には切り欠き部が形成されていてもよい（第２の態様）。
また上記発明において、上記切り欠き部は上記外箱部の側面の上端を上下方向に跨いで形成されていてもよい（第３の態様）。
また上記発明において、上記内箱部の側面は２枚のフラップが重なって構成されており、これら２枚のフラップは接着されていなくともよい（第４の態様）。
また上記発明において、上記内箱部の側面は２枚のフラップが重なって構成されており、これら２枚のフラップは上記破断開始領域と対応する位置において接着されていてもよい（第５の態様）。
【０００８】
また上記発明において、上記２枚のフラップが接着されている部分の面積は、該フラップの面積の１０％以下とすることができる（第６の態様）。
また上記発明において、上記２枚のフラップのうち内側に位置するフラップの外側辺には凸部が形成され、上記２枚のフラップのうち外側に位置するフラップを折るための折れ線上には、上記凸部と対応する位置に凸部が係合する溝部が形成されていてもよい（第７の態様）。
また上記発明において、上記外箱部と内箱部は上記外箱部の破断部を破断したときに、互いに異なる方向に展開可能とすることができる（第８の態様）。
【発明の効果】
【０００９】
第１の態様によれば、指摘み部を指で摘んで破断部を下方へ強く引っ張ることにより、外箱部の２本のミシン線が破断し、これに伴い破断部に接着している内箱部の破断開始領域もミシン線に沿って破断する。破断部が全て破断されることで外箱部と内箱部は容易に展開可能となるから、包装箱を容易に分解して廃棄可能な状態とすることができる。
第２の態様によれば、指摘み部を指で摘み易くなる。
第３の態様によれば、指摘み部を指で更に摘み易くなる。
第４の態様によれば、外箱部を分解された時点で内箱部も自動的に分解されるから包装箱の分解が容易となる。
【００１０】
第５の態様によれば、内箱部自体で箱としての保形性が維持されるから、取り出し部の外側への拡がりが抑制されて、蓋体部を被せやすくなる。
第６の態様によれば、内箱部の分解が容易となる。
第７の態様によれば、内箱部の組み立て時に凸部が溝部に係合することで、内箱部に斜め方向の力が掛かった場合に内箱の変形を防止することができる。
第８の態様によれば、外箱部と内箱部の分解時における展開方向が異なるため、組み立てられた包装箱の強度が増大するというメリットがある。
【発明を実施するための最良の形態】
【００１１】
以下において、本発明の感光記録材料用包装箱（以下、包装箱という）について、図面を参照しながら詳細に説明する。図１は、本発明に係る包装箱１を示す斜視図であり、包装箱１は外箱部３と内箱部５とから成り、外箱部３は外箱本体部７と蓋体部９とを備えて成る。内箱部５の上部分には、内箱部内に収容される感光記録材料などを包装した内装袋Ｍを取り出すための取り出し部１１が形成されており、この取り出し部１１が外箱本体部７から上方へ突出しており、取り出し部１１の周囲に対して上方から蓋体部９を被せるように差し込むことで内箱部５内の遮光性が維持されるようになっている。
【００１２】
内箱部５は一例として図５に示すような展開図１３を組み立てて構成されている。展開図１３において破線１５は谷折れ線を示し、一点鎖線１７は展開図１３の中心線を示す。
取り出し部１１は、図１において正面側を向いた前面１９と、前面１９に対向する背面２１と、図１中、前面１９の右側において前面１９と背面２１とを接続する接続側板２３と、図１中、前面１９の左側において前面１９と背面２１との間に形成される空間を覆う被覆部２５とを備え、その上部には取り出し開口２６が形成されている。
【００１３】
接続側板２３は、図５の展開図１３におけるフラップ２７とフラップ２９とが重なった状態で構成されており、固定状態となっている。被覆部２５は、図５の展開図１３におけるフラップ３１がフラップ３３の外側に位置するように折り曲げられ、これら互い同士が隣接して重なっているが、フラップ３１とフラップ３３との間は接着されていない。展開図１３におけるフラップ３１とフラップ３３は、組み立て時にはそれぞれ外側フラップ３５及び内側摺動フラップ３７となっている。本実施形態では、上述のように取り出し部１１の一方が開放できないように固定されているため、この固定されている側から蓋体部９を被せ易いという特徴を有する。
【００１４】
取り出し部１１の前面１９には、接続側板２３との境界の上端から内側摺動フラップ３７の下端付近に掛けて、下に凸に湾曲した曲線の筋押し線３９が形成されており、この筋押し線３９より上側の前面１９には、筋押し線３９に沿って折れることにより外方へ開放可能な開放フラップ４１が形成されている。筋押し線３９の他端部側である被覆部２５側は、前面１９と内側摺動フラップ３７との境界線４０に対してほぼ直交するように形成されている。これにより、筋押し線３９を何回も折り曲げたときに、筋押し線３９と、境界線４０との接続部分が痛むことを防止している。また開放フラップ４１の上辺４４は、前面１９の一側部側である接続側板２３側から他側部側である被覆部２５側へ掛けて低くなるように傾斜しており、上述したように取り出し部１１の固定された側から蓋体部９を被せた後で、被覆部２５側へ蓋体部９を被せていくときに蓋を被せやすくしている。開放フラップ４１の上辺４４には、開放フラップ４１を外側に開く際に指を掛けるための指掛け切り欠き４２が形成されている。
【００１５】
内側摺動フラップ３７の外縁３８は湾曲しており、開放フラップ４１を内側に押し込んだときに、開放フラップ４１の内側摺動フラップ３７側の面が前面１９よりも内側に折り曲がることができるように、展開図１３においてフラップ３１とフラップ３３の外縁線５０の延長線より内側に切り欠かれている（図５の符号４３で示す領域を参照）。このような構成を採用することにより、固定されている接続側板２３側から蓋体部９を斜めに被せた後、被覆部２５側へ蓋体部９を被せてくるときに、開放フラップ４１の内側摺動フラップ３７側が内側に変形可能で、その部分の幅が一時的に狭くなるため、蓋体部９を容易に取り出し部１１に被せることができるようになる。
【００１６】
次に本発明の特徴的構成について説明する。外箱部３の両側面５１には外箱本体部７の上端から下端に掛けて縦方向に平行に延びる２本のミシン線５３が形成されており、これら２本のミシン線５３の間には破断部５２が形成され、破断部５２の最上端には指摘み部５４が形成されている。一方内箱部５の両側面５５には、外箱本体部７の上端にほぼ対応する位置付近に切り欠き部５６が該上端を上下に跨いで形成されており、切り欠き部５６の下端から数センチメートルに亘って下方へ縦方向に平行に延びる２本のリッパー状のミシン線５７が形成されている。内箱部５における２本のミシン線５７に挟まれた領域を破断開始領域５９と定義する。
【００１７】
外箱部３における２本のミシン線５３と、内箱部５における２本のミシン線５７とはそれぞれ対応する位置に重なって形成されている。尚、外箱部３の側面５１が一枚のシートで構成される場合と、二枚のフラップが重なって構成されている場合が考えられるが、前者の場合は一枚のフラップに２本のミシン線５３が形成され、後者の場合には二枚のフラップの同じ位置に２本のミシン線５３が形成されている。内箱部５に関しては、本例では図１及び図５から明らかなように両側面５５が共に二枚のフラップが重なっている構成であり、これらいずれの側面においても、重なった二枚のフラップの同じ位置に２本のミシン線５７が形成されている。
【００１８】
内箱部５の破断開始領域５９と、外箱部３の２本のミシン線５３に挟まれた対応する領域との間には接着剤６１が塗布されることで強固に接着されている。また本実施形態では内箱部５の両側面５５が互いに重なっている部分のうち、破断開始領域５９にほぼ対応する領域にも接着剤が塗布されている。これにより内箱部５単独でも、その箱形状を維持することができるため、取り出し開口２６が外側に拡がる傾向を抑制でき、従って蓋体部９を被せやすくなる。このように内箱部５の両側面５５が互いに重なっている部分に接着剤を塗布する場合には、側面の面積の１０％以下にすることが好ましい。因みにこのような部分への接着剤の塗布を省略することもでき、それにより外箱部３が除去されたときの内箱部５の分解性を高めるようにしても良い。
【００１９】
次に本発明の感光記録材料用包装箱の作用について説明する。図１に示すように蓋体部９を取り去った状態で、使用者は指掛け切り欠き４２に指を掛けて外側へ引くことにより、筋押し線３９に沿って開放フラップ４１の左側が大きく開放する。使用者は、この開放した部分から感光記録材料の内装袋Mの上端を指で掴み、容易に内装袋Mを取り出すことができる。また内装袋Mから感光記録材料を取り出した後、内装袋Mを再度包装箱１に収納する場合には、内装袋Mを包装箱に入れ、まず蓋体部９下側の開口部分を、固定された接続側板２３側に斜めに差し込む。このとき接続側板２３側では開放フラップ４１が外側に開いていないため、容易に蓋体部９を被せることができる。次に斜めの蓋体部９を図１の左側に被せていく。これにより仮に開放フラップ４１が外側に開き気味であっても、開放フラップ４１が自然に内側へ閉じていき、蓋体部９を容易に取り出し部１１に被せることが可能となる。
【００２０】
次に内装袋M内の感光記録材料を使い切り、包装箱１を廃棄する場合には、図２に示すように指摘み部５４を指で摘み、そのまま図２の矢印６３で示すように下方へ強く引っ張ることにより、外箱部３の２本のミシン線５３が破断し始める。尚、指摘み部５４の裏側には切り欠き部５６が形成されており、切り欠き部５６と一部が重なっている指摘み部５４の裏側６５（図３（ｂ）参照）は接着されていないため、使用者は指摘み部５４を指で摘みやすくなっている。
【００２１】
外箱部３の２本のミシン線５３が破断し始めるのに伴い、破断部５２に接着している内箱部５の破断開始領域５９もミシン線５７に沿って破断し始める。外箱部３の２本のミシン線５３はその後、図２に示す位置まで破断され、これにより破断部５２と破断開始領域５９との間の接着剤６１及び破断開始領域５９が破断部５２側に付着して剥がされる。そして更に外箱部３の２本のミシン線５３は下端部まで破断されることで、図２の右側部分に示されているように、外箱部の側面５１が前後に開放可能となり、また内箱部５の側面５５が互いに重なっている部分も前後に開放可能となる。このようにして外箱部３と内箱部５とをそれぞれ別々に平坦な形状に分解することができるので、使用後の包装箱１を廃棄しやすくなる。
【００２２】
次に本発明の包装箱の他の実施形態について説明する。上記実施形態では内箱部と外箱部の両方が共に前後方向に開いて分解可能であるが、例えば図７に示すように、外箱部３は矢印６７で示すように前後方向に開いて分解可能であり、内箱部５は矢印６９で示すように横方向に開いて分解可能である、外箱部３と内箱部５とを組み合わせることもできる。このような実施形態によれば、外箱部３と内箱部５の分解時における展開方向が異なるため、組み立てられた包装箱１の強度が増大するというメリットがある。
【００２３】
また図８の内箱部の展開図に示すように、組み立て時に内箱部の側面を構成する両側各２枚ずつのフラップのうち内側に位置するフラップ２７、３３の外側辺７１にそれぞれ凸部７３を形成し、２枚ずつのフラップのうち外側に位置するフラップ２９、３１を折るための谷折れ線７５上には、各凸部７３と対応する位置に凸部７３が係合する溝部７７を形成するようにしてもよい。このような構成を採用することにより、内箱部の組み立て時に凸部７３が溝部７７に係合することで、内箱部に斜め方向の力が掛かった場合に内箱の変形を防止することができる。
【産業上の利用可能性】
【００２４】
本発明の感光記録材料用包装箱は、様々な種類の感光記録材料を包装するための包装箱として広く利用することが可能である。特に、直接撮影医療用フィルムなどのＸレイフィルム用の包装箱として好ましく使用することができる。
【図面の簡単な説明】
【００２５】
【図１】本発明の感光記録材料用包装箱の一実施形態の斜視図である。
【図２】本発明の感光記録材料用包装箱を分解する途中の様子を示す斜視図である。
【図３】（ａ）は図１の実施形態の蓋体部を除去した部分の側断面図であり、（ｂ）は同破断開始領域周辺の断面図である。
【図４】（ａ）は図１の実施形態において、側面の破断を開始直後の蓋体部を除去した部分の側面図であり、（ｂ）は同破断開始領域周辺の断面図である。
【図５】本発明の感光記録材料用包装箱の一実施形態の内箱部の展開図である。
【図６】（ａ）は内箱部の側面のフラップ間に接着剤が付着していない実施形態において、側面の破断を開始直後の蓋体部を除去した部分の側面図であり、（ｂ）は同破断開始領域周辺の断面図である。
【図７】本発明の感光記録材料用包装箱の他の実施形態を示す分解説明図である。
【図８】本発明の感光記録材料用包装箱の更に他の実施形態を示す内箱部の展開図である。
【符号の説明】
【００２６】
１  感光記録材料用包装箱
３  外箱部
５  内箱部
７  外箱本体部
９  蓋体部
１１  取り出し部
１３  展開図
１５  破線
１７  一点鎖線
１９  前面
２１  背面
２３  接続側板
２５  被覆部
２６  取り出し開口
２７  フラップ
２９  フラップ
３１  フラップ
３３  フラップ
３５  外側フラップ
３７  内側摺動フラップ
３８  内側摺動フラップの外縁
３９  筋押し線
４０  前面と内側摺動フラップとの境界線
４１  開放フラップ
４２  指掛け切り欠き
４３  切り欠かれた領域
４４  開放フラップの上辺
５０  フラップの外縁線
５１  外箱部の側面
５２  破断部
５３  ミシン線
５４  指摘み部
５５  内箱部の側面
５６  切り欠き部
５７  ミシン線
５９  破断開始領域
６１  接着剤
６３  矢印
６５  指摘み部の裏側
６７  矢印
６９  矢印
７１  内側フラップの外側辺
７３  凸部
７５  外側フラップの谷折れ線
７７  溝部
Ｍ  感光記録材料の内装袋
【図１】
2006056521.tif 000003
【図２】
2006056521.tif 000004
【図３】
2006056521.tif 000005
【図４】
2006056521.tif 000006
【図５】
2006056521.tif 000007
【図６】
2006056521.tif 000008
【図７】
2006056521.tif 000009
【図８】
2006056521.tif 000010